(57)【要約】【課題】有価媒体の正確な補充と、補充後の有価媒体の正確な在高管理と、補充に関するセキュリティ性の向上とを図れる有価媒体処理装置および有価媒体処理システムを提供する。【解決手段】有価媒体処理装置２は、その装置本体２５内に設けられて有価媒体を収納する収納部２７と、収納部２７とは別に設けられた装填部２８と、繰出部２９と、搬送部３１と、識別部３２と、制御部６０とを含む。装填部２８は、装置本体２５に装着された装着位置と装置本体２５から引き出された引出位置との間において移動可能であり、引出位置において有価媒体が装填される。制御部６０は、装着位置の装填部２８における有価媒体を、繰出部２９によって繰り出して識別部３２によって１つずつ計数した後に、搬送部３１によって収納部２７まで搬送する。【選択図】図２
2018022241.tif 000002
【特許請求の範囲】
【請求項１】
装置本体と、
前記装置本体内に設けられ、有価媒体を収納する収納部と、
前記収納部とは別に設けられ、前記装置本体に装着された装着位置と前記装置本体から引き出された引出位置との間において移動可能であり、前記引出位置において有価媒体が装填される装填部と、
前記装着位置の前記装填部から有価媒体を繰り出す繰出部と、
前記繰出部によって繰り出された有価媒体を前記装置本体内において搬送する搬送部と、
前記搬送部によって搬送される有価媒体を少なくとも計数する識別部と、
前記装着位置の前記装填部における有価媒体を、前記繰出部によって繰り出して前記識別部によって１つずつ計数した後に、前記搬送部によって前記収納部まで搬送する制御部とを含む、有価媒体処理装置。
【請求項２】
有価媒体を一時保留する一時保留部を含み、
前記制御部は、前記繰出部によって前記装填部から繰り出して前記識別部によって計数した有価媒体を前記一時保留部において一時保留し、所定の指示を受け付けた場合に前記一時保留部における有価媒体を前記搬送部によって前記収納部まで搬送する、請求項１に記載の有価媒体処理装置。
【請求項３】
前記一時保留部は、有価媒体をテープによって挟んだ状態において前記テープとともに巻き取って一時保留するテープリール式の一時保留部であり、
有価媒体が前記一時保留部において一時保留されたまま所定時間が経過すると、前記制御部は、前記一時保留部における有価媒体を前記搬送部によって前記装填部に戻す、請求項２に記載の有価媒体処理装置。
【請求項４】
前記収納部は、複数存在し、
前記識別部は、有価媒体の種類を識別し、
前記制御部は、前記識別部によって種類が識別された有価媒体を、当該有価媒体の種類に応じた前記収納部まで搬送する、請求項１〜３のいずれか一項に記載の有価媒体処理装置。
【請求項５】
前記装填部における有価媒体の有無を検知する第１検知部と、
前記装填部の位置を検知する第２検知部とを含み、
前記装填部に有価媒体が有ることを前記第１検知部が検知するとともに、前記装填部が前記引出位置から前記装着位置まで移動したことを前記第２検知部が検知したことに応じて、前記制御部は、前記装填部における有価媒体の繰り出しを開始する、請求項１〜４のいずれか一項に記載の有価媒体処理装置。
【請求項６】
有価媒体処理装置と、前記有価媒体処理装置を管理する管理装置とを含む有価媒体処理システムであって、
前記有価媒体処理装置は、
装置本体と、
前記装置本体内に設けられ、有価媒体を収納する収納部と、
前記収納部とは別に設けられ、前記装置本体に装着された装着位置と前記装置本体から引き出された引出位置との間において移動可能であり、前記引出位置において有価媒体が装填される装填部と、
前記装着位置の前記装填部から有価媒体を繰り出す繰出部と、
前記繰出部によって繰り出された有価媒体を前記装置本体内において搬送する搬送部と、
前記搬送部によって搬送される有価媒体を少なくとも計数する識別部とを含み、
前記装着位置の前記装填部における有価媒体を、前記繰出部によって繰り出して前記識別部によって１つずつ計数した後に、前記搬送部によって前記収納部まで搬送する制御部を含む、有価媒体処理システム。
【発明の詳細な説明】
【技術分野】
【０００１】
この発明は、有価媒体処理装置および有価媒体処理システムに関する。
【背景技術】
【０００２】
下記特許文献１における有価媒体処理装置の機体内には、複数の収納部から構成された新券収納部が設けられている。有価媒体処理装置において、新券収納部から繰り出された新券は、投出部に出金されるので、投出部のシャッタが開くことによって、利用者は、出金された新券を取り出すことができる。特定の権限を有する者が、有価媒体処理装置の扉を開くことによって有価媒体処理装置の機体内にアクセスできるので、新券収納部に新券を補充することができる。
【先行技術文献】
【特許文献】
【０００３】
【特許文献１】特開２０１４−１８２４８４号公報
【発明の概要】
【発明が解決しようとする課題】
【０００４】
特許文献１の有価媒体処理装置では、特定の権限を有する者の手作業によって新券収納部に新券が補充される。この場合には、間違った金種の新券が各収納部に補充される虞があるので、補充後の出金処理の際に、金種間違いを原因として新券が全てリジェクトされるという不具合が生じ得る。また、手作業の補充の場合には、補充される新券の枚数が計数されていないため、補充後の新券収納部の各収納部における新券の在高を正確に管理できなくなる虞がある。
【０００５】
また、新券収納部への新券の補充時における有価媒体処理装置では、収納部を含む機体内が外部に露出されるので、セキュリティ上の不安が生じる。
【０００６】
この発明は、かかる背景のもとにおいてなされたものであり、有価媒体の正確な補充と、補充後の有価媒体の正確な在高管理と、補充に関するセキュリティ性の向上とを図れる有価媒体処理装置および有価媒体処理システムを提供することを目的とする。
【課題を解決するための手段】
【０００７】
本発明は、装置本体と、前記装置本体内に設けられ、有価媒体を収納する収納部と、前記収納部とは別に設けられ、前記装置本体に装着された装着位置と前記装置本体から引き出された引出位置との間において移動可能であり、前記引出位置において有価媒体が装填される装填部と、前記装着位置の前記装填部から有価媒体を繰り出す繰出部と、前記繰出部によって繰り出された有価媒体を前記装置本体内において搬送する搬送部と、前記搬送部によって搬送される有価媒体を少なくとも計数する識別部と、前記装着位置の前記装填部における有価媒体を、前記繰出部によって繰り出して前記識別部によって１つずつ計数した後に、前記搬送部によって前記収納部まで搬送する制御部とを含む、有価媒体処理装置である。
【０００８】
また、本発明は、有価媒体を一時保留する一時保留部を含み、前記制御部は、前記繰出部によって前記装填部から繰り出して前記識別部によって計数した有価媒体を前記一時保留部において一時保留し、所定の指示を受け付けた場合に前記一時保留部における有価媒体を前記搬送部によって前記収納部まで搬送することを特徴とする。
【０００９】
また、本発明は、前記一時保留部は、有価媒体をテープによって挟んだ状態において前記テープとともに巻き取って一時保留するテープリール式の一時保留部であり、有価媒体が前記一時保留部において一時保留されたまま所定時間が経過すると、前記制御部は、前記一時保留部における有価媒体を前記搬送部によって前記装填部に戻すことを特徴とする。
【００１０】
また、本発明は、前記収納部は、複数存在し、前記識別部は、有価媒体の種類を識別し、前記制御部は、前記識別部によって種類が識別された有価媒体を、当該有価媒体の種類に応じた前記収納部まで搬送することを特徴とする。
【００１１】
また、本発明は、前記装填部における有価媒体の有無を検知する第１検知部と、前記装填部の位置を検知する第２検知部とを含み、前記装填部に有価媒体が有ることを前記第１検知部が検知するとともに、前記装填部が前記引出位置から前記装着位置まで移動したことを前記第２検知部が検知したことに応じて、前記制御部は、前記装填部における有価媒体の繰り出しを開始することを特徴とする。
【００１２】
また、本発明は、有価媒体処理装置と、前記有価媒体処理装置を管理する管理装置とを含む有価媒体処理システムであって、前記有価媒体処理装置は、装置本体と、前記装置本体内に設けられ、有価媒体を収納する収納部と、前記収納部とは別に設けられ、前記装置本体に装着された装着位置と前記装置本体から引き出された引出位置との間において移動可能であり、前記引出位置において有価媒体が装填される装填部と、前記装着位置の前記装填部から有価媒体を繰り出す繰出部と、前記繰出部によって繰り出された有価媒体を前記装置本体内において搬送する搬送部と、前記搬送部によって搬送される有価媒体を少なくとも計数する識別部とを含み、前記装着位置の前記装填部における有価媒体を、前記繰出部によって繰り出して前記識別部によって１つずつ計数した後に、前記搬送部によって前記収納部まで搬送する制御部を含む、有価媒体処理システムである。
【発明の効果】
【００１３】
本発明によれば、有価媒体処理装置において、装填部に装填された有価媒体は、繰り出されて装置本体内において搬送され、識別部によって１つずつ計数された後に収納部まで搬送されることによって収納部に補充される。
識別部によって、装填部に装填された有価媒体の種類を確認できるとともに、装填部に装填された有価媒体の数を管理できる。そのため、有価媒体の種類間違いのない正確な補充と、補充後の収納部における有価媒体の正確な在高管理とを図ることができる。また、有価媒体を補充する際、装填部だけが有価媒体の装填のために装置本体から引き出されるものの、収納部は、装置本体内に残っていて装置本体の外に露出されないので、収納部におけるセキュリティ性の向上を図れる。
【図面の簡単な説明】
【００１４】
【図１】図１は、本発明の一実施形態に係る有価媒体処理システムを示す図である。
【図２】図２は、有価媒体処理システムにおける有価媒体処理装置の模式的な縦断面右側面図である。
【図３】図３は、装填部が引出位置にある状態における有価媒体処理装置の模式的な縦断面右側面図である。
【図４】図４は、装填部が引出位置にある状態における有価媒体処理装置の斜視図である。
【図５】図５は、有価媒体処理システムの電気的構成を示すブロック図である。
【図６】図６は、有価媒体処理システムの表示操作部における表示内容の一例を示す図である。
【図７】図７は、表示操作部における表示内容の一例を示す図である。
【図８】図８は、表示操作部における表示内容の一例を示す図である。
【図９】図９は、表示操作部における表示内容の一例を示す図である。
【図１０】図１０は、表示操作部における表示内容の一例を示す図である。
【図１１】図１１は、表示操作部における表示内容の一例を示す図である。
【図１２】図１２は、有価媒体処理装置の内部構成の概要を示す模式図である。
【図１３】図１３は、装填部の模式的な平面図である。
【図１４】図１４は、装填部の模式的な縦断面右側面図である。
【発明を実施するための形態】
【００１５】
以下では、この発明の実施の形態を、添付図面を参照して詳細に説明する。図１は、本発明の一実施形態に係る有価媒体処理システム１を示す図である。有価媒体処理システム１は、銀行等の金融機関や、店舗に設置される。以下の説明では、有価媒体処理システム１で取り扱われる有価媒体が貨幣であることを前提とするが、有価媒体として、貨幣だけでなく、宝くじや商品券等の有価証券も挙げられる。
【００１６】
有価媒体処理システム１は、有価媒体処理装置２と、管理装置３と、プリンタ４とを含む。有価媒体処理装置２は、貨幣のうちの紙幣、特に新券の出金処理を行うための新券払出機２Ａと、紙幣の入金処理および出金処理を行うための紙幣入出金機２Ｂと、貨幣のうちの硬貨の入金処理および出金処理を行うための硬貨入出金機２Ｃとを含む。新券払出機２Ａと紙幣入出金機２Ｂと硬貨入出金機２Ｃと管理装置３とプリンタ４とは、通信可能に接続されている。
【００１７】
新券払出機２Ａと紙幣入出金機２Ｂと硬貨入出金機２Ｃとは、左右方向に並んでいる。有価媒体処理システム１で取り扱われる有価媒体が宝くじである場合には、新券払出機２Ａは、宝くじ販売機として機能し、有価媒体が商品券である場合には、新券払出機２Ａは、商品券発行装置として機能する。新券払出機２Ａにおいて利用者に臨む前面部１０の上端部には、出金処理の際に新券が払い出される払出口１１が設けられている。紙幣入出金機２Ｂの前面部１２には、例えば１００枚毎にまとまった状態において帯封された紙幣によって構成された束紙幣が出金処理の際に払い出される束出金口１３と、入金処理の際にバラ紙幣が利用者によって入金される入金口１４と、出金処理の際にバラ紙幣が払い出されるバラ出金口１５とが、例えば上側からこの順番にて設けられている。前面部１２には、束出金口１３を開閉するシャッタ１６と、バラ出金口１５を開閉するシャッタ１７とが設けられている。
【００１８】
管理装置３は、有価媒体処理装置２およびプリンタ４を管理する装置であって、例えばコンピュータによって構成される。管理装置３には、タッチパネルディスプレイ等によって構成された表示操作部３Ａが設けられ、表示操作部３Ａには、有価媒体処理装置２やプリンタ４の動作に関する様々な情報が表示される。また、利用者は、表示操作部３Ａに表示されたタッチキーにタッチすることによって有価媒体処理システム１に指示を与えることができる。プリンタ４は、有価媒体処理装置２において実行された処理の内容を記したレシートを発行する。なお、管理装置３およびプリンタ４は、有価媒体処理装置２の一部として、いずれかの有価媒体処理装置２に組み込まれてもよい。また、利用者に携帯されて有価媒体処理装置２およびプリンタ４と通信可能なスマートフォン１８やタブレット端末１９が、表示操作部３Ａの操作端末としての役割を兼ねてもよい。
【００１９】
次に、新券払出機２Ａに着目して有価媒体処理装置２について詳しく説明する。新券払出機２Ａの模式的な縦断面右側面図である図２を参照して、新券払出機２Ａは、例えば縦長のボックス状の装置本体２５を含む。装置本体２５において前側（図２では左側）の側面部は、前述した前面部１０である。装置本体２５の下面部には、新券払出機２Ａを移動させるためのキャスター２６が設けられている。装置本体２５内には、収納部２７と、装填部２８と、繰出部２９と、払出部３０と、搬送部３１と、識別部３２と、一時保留部３３とが設けられている。
【００２０】
収納部２７は、箱状に形成され、複数（ここでは４つ）存在し、装置本体２５内における前寄りの領域において上下方向に並んで配置されている。４つ並んだ収納部２７のうち、縦に並んだ上側３つの収納部２７のそれぞれには、新券が一金種毎に収納される。そのため、これらの３つの収納部２７のうち、例えば、最上位の収納部２７には万円札だけが収納され、上から２番目の収納部２７には千円札だけが収納され、上から３番目の収納部２７には５千円札だけが収納される。４つ並んだ収納部２７のうち、最下位の収納部２７には、前記３金種のいずれかの金種の新券が選択的に収納されたり、他の一金種（例えば２千円札）の新券だけが収納されたりする。各収納部２７内には、例えば最大３５０枚の新券を前後方向（図２では左右方向）に長手かつ上下方向に積層された状態にて収納される。以下では、収納部２７に新券を収納することを「補充」ということがある。装置本体２５の前面部１０において４つの収納部２７と上下方向において同じ位置にある部分には、開閉可能な縦長の前カバー３４が設けられている。利用者、厳密には新券払出機２Ａを管理する係員が、各収納部２７を含む内部ユニット２３全体を引き出すと、収納部２７が装置本体２５の外に露出されるので、係員は、手作業によって各収納部２７の側面から新券を補充することができる。
【００２１】
装填部２８は、収納部２７とは別に設けられ、収納部２７とほぼ同じ大きさを有する箱状に形成され、前面部１０の払出口１１よりも下側かつ最上位の収納部２７よりも上側に配置されている。厳密には、当該箱状部分の内部空間が、装填部２８である。装填部２８には、装填部２８から下側に延びる搬送路（装填搬送路３９という）が設けられている。前面部１０において装填部２８と上下方向において同じ位置にある部分には、略矩形状の開口１０Ａが形成されている（後述する図３および図４を参照）。開口１０Ａは、前面部１０の上端部における払出口１１よりも下側かつ前カバー３４よりも上側に配置されている。前カバー３５が、装填部２８の前側に配置されている。装填部２８、装填搬送路３９、前カバー３５および繰出部２９は、一体化されて装填ユニット４９を構成している。前カバー３５は、前後方向に一致した板厚方向を有して、開口１０Ａを塞ぐ大きさを有する略矩形板状に形成されている。前カバー３５の後面部には、前後方向に伸縮可能な左右一対のガイドレール３６の前端部が固定されていて、各ガイドレール３６における後側（図２では右側）の部分は、装置本体２５内の内部ユニット２３に固定されている（図４参照）。そのため、装填ユニット４９は、各ガイドレール３６を介して内部ユニット２３によって支持されていて、各ガイドレール３６の伸縮に応じて前後方向にスライド可能である。具体的には、装填ユニット４９は、装置本体２５に装着されて装置本体２５内に収容された装着位置（図２参照）と、装置本体２５から前側へ引き出された引出位置（図３および図４参照）との間において移動可能であり、装填部２８も装着位置（図２参照）と引出位置（図３および図４参照）との間において移動可能となる。そして、装填ユニット４９を引出位置へ引き出すと、装填部２８が前方に配置されて外部に露出されるので、後述するように装填部２８の側面から新券を補充できる。装填ユニット４９には、ロック機構（図示せず）が設けられており、所定の権限を有する係員が、管理装置３を操作することによって、ロック機構による装填ユニット４９のロックが解除される。
【００２２】
装着位置における装填部２８は、装置本体２５内における最上位の収納部２７の真上に位置し、このときの前カバー３５は、前面部１０の開口１０Ａを塞いでいて、前カバー３５の前面部は、前面部１０とほぼ面一になっている（図２参照）。係員が、装填ユニット４９のロック機構によるロックを解除した後、前カバー３５の前面部に設けられた凹み３５Ａ（図４参照）に指をかけて手前へ引くと、装填部２８が装着位置から引出位置まで到達するまで装填ユニット４９が引き出される。引出位置における装填部２８は、前面部１０よりも前側に位置し、このときの前カバー３５は、前面部１０の開口１０Ａを前側へ開放している（図３および図４参照）。装填部２８の側面（ここでは右側面）には、扉５０によって開閉される開口部２８Ａが形成されていて（図４参照）、係員は、扉５０を開いて開口部２８Ａから装填部２８内に新券をセットすることができる。以下では、装填部２８に新券をセットまたは収納することを「装填」ということがある。装填された新券は、装填部２８内において、前後方向に長手となった状態にて上下方向に積層される。装填部２８内には、例えば最大３５０枚の新券を装填できる。なお、束紙幣が装填される場合には、金庫等から取り出された官封の束紙幣が、バラの新券にばらされた後に装填部２８に装填される。
【００２３】
装填部２８には、その内部における新券の有無を検知する第１検知部３７が設けられている。また、装置本体２５内には、装填部２８の位置、詳しくは装填部２８が装着位置および引出位置のいずれにあるかを検知する第２検知部３８が設けられている。第１検知部３７および第２検知部３８のそれぞれは、例えば反射センサまたはマイクロスイッチによって構成される。
【００２４】
繰出部２９は、ローラ４０等を含み、装填部２８に設けられている。モータ等の駆動部（図示せず）の駆動力を受けてローラ４０が回転することによって、装填部２８内の新券が装填部２８の外の装填搬送路３９へ繰り出される。なお、繰り出しの場合とは逆の方向へローラ４０が回転することによって、装填搬送路３９上の新券を装填部２８内へ送り込むことができる。繰出部２９は、装填部２８に固定されているので、装着位置と引出位置との間において移動する装填部２８に同行する。また、繰出部２９と同様に構成された繰出部４２が、各収納部２７に設けられている。繰出部４２は、対応する収納部２７から新券を繰り出したり、後述する第１搬送路４４上の新券を収納部２７へ送り込んだりすることができる。
【００２５】
払出部３０は、装置本体２５の内部から搬送される新券を受け入れることができる箱状に形成され、装着位置の装填部２８の真上に配置されている。装置本体２５の前面部１０の払出口１１は、払出部３０の内部に前側から連通している。払出部３０内には、回転するローラ４３Ａおよび従動ローラ４３Ｂが設けられている。モータ等の駆動部（図示せず）の駆動力を受けてローラ４３Ａが回転することによって、払出部３０内の新券が、ローラ４３Ａと従動ローラ４３Ｂとの間を通って払出口１１まで送り込まれる。払出口１１では、例えば最大１００枚の新券を一度に出金できる。
【００２６】
搬送部３１は、装填搬送路３９と、第１搬送路４４と、第２搬送路４５と、これらの搬送路のそれぞれに設けられたローラ４６および無端状のベルト４７と、分岐爪４８とを含む。装填部２８が装着位置にあるときに、第１搬送路４４は、装填ユニット４９の装填搬送路３９から装置本体２５の前面部１０に沿って下側へ延び、各収納部２７の繰出部４２につながっている。第２搬送路４５は、第１搬送路４４において最上位の収納部２７よりも上側の部分から後側へ延び、装着位置の装填部２８の後側に回り込んで上側へ延びた後に払出部３０につながっている。
【００２７】
モータ等の駆動部（図示せず）の駆動力を受けてローラ４６が回転したりベルト４７が周回移動したりすると、新券が装填搬送路３９、第１搬送路４４および第２搬送路４５において搬送される。分岐爪４８は、第１搬送路４４と各収納部２７の繰出部４２との接続位置、および、第１搬送路４４と装填搬送路３９と第２搬送路４５との接続位置に設けられている。各分岐爪４８の向きは、ソレノイド等の駆動部（図示せず）の作動に応じて切り換わる。これによって、装填搬送路３９内の新券を第１搬送路４４や第２搬送路４５に受け渡したり、第１搬送路４４内の新券を各収納部２７の繰出部４２や装填搬送路３９や第２搬送路４５に受け渡したり、第２搬送路４５内の新券を装填搬送路３９や第１搬送路４４に受け渡したりすることができる。
【００２８】
識別部３２は、第２搬送路４５の途中領域、詳しくは、第２搬送路４５において第１搬送路４４から後側へ延びている領域に配置されている。識別部３２は、第２搬送路４５において搬送される新券の金種、正損、真偽等を識別する一般的なセンサである。損傷のある新券や偽の新券や重送等による搬送異常券は、リジェクト券であると識別部３２によって識別される。リジェクト券には、重送や斜行といった搬送不良等によって識別できなかった新券や、本来識別されるべき金種と異なる金種間違いの新券も含まれる。リジェクト券以外の新券は、正常券であると識別部３２によって識別される。また、識別部３２は、新券を１枚ずつ識別することによって計数することもできる。
【００２９】
一時保留部３３は、第２搬送路４５において装着位置の装填部２８の後側に回り込んで上側へ延びている領域よりも後側に配置され、当該領域に接続されている。当該領域と一時保留部３３との接続位置には、前述した分岐爪４８が設けられている。分岐爪４８の向きが切り換わることによって、第２搬送路４５内の新券を、引き続き第２搬送路４５内で搬送したり、一時保留部３３に受け渡したりすることができる。一時保留部３３は、いわゆるテープリール式の一時保留部であり、具体的には、テープＴ１が巻き付けられた第１テープリール５１と、テープＴ２が巻き付けられた第２テープリール５２と、テープＴ１およびテープＴ２のそれぞれの先端部が接続されたドラム５３と、ドラム５３を駆動回転させるモータ等の駆動部（図示せず）とを含む。第２搬送路４５から一時保留部３３に新券が分岐されると、ドラム５３が駆動回転される。これにより、この新券は、テープＴ１およびテープＴ２によって挟まれた状態においてテープＴ１およびテープＴ２とともにドラム５３に巻き取られて一時保留される。一時保留部３３は、例えば最大３５０枚の新券を一時保留できる。なお、ドラム５３が逆回転されると、今までドラム５３に巻き取られていた新券は、一時保留部３３から第２搬送路４５に受け渡される。このときの分岐爪４８の位置によって、新券は、第２搬送路４５において、上方向の払出口１１へ搬送されたり、下方向の装填部２８や収納部２７へ搬送されたりする。
【００３０】
次に、図５のブロック図を参照して、新券払出機２Ａの電気的構成について説明する。新券払出機２Ａは、例えばマイクロコンピュータによって構成された制御部６０と、通信Ｉ／Ｆ部６１と、記憶部６２とを含む。制御部６０には、通信Ｉ／Ｆ部６１と、記憶部６２と、前述した装填部２８の第１検知部３７、第２検知部３８、繰出部２９、払出部３０、搬送部３１、一時保留部３３、繰出部４２および識別部３２のそれぞれとが電気的に接続されている。
【００３１】
制御部６０は、通信Ｉ／Ｆ部６１を介して、紙幣入出金機２Ｂ、硬貨入出金機２Ｃ、管理装置３およびプリンタ４や他の外部機器と通信できる。そのため、制御部６０は、利用者による管理装置３の表示操作部３Ａ（図１参照）の操作を受け付けたり、表示操作部３Ａの表示を制御したり、プリンタ４によってレシートを発行したりすることができる。
【００３２】
制御部６０は、第１検知部３７の検知結果に応じて、装填部２８における新券の有無を把握する。制御部６０は、第２検知部３８の検知結果に応じて、装填部２８の位置を把握する。制御部６０は、繰出部２９、払出部３０、搬送部３１、一時保留部３３、繰出部４２のそれぞれの駆動部（図示せず）を制御する。これにより、制御部６０は、装着位置の装填部２８と、各収納部２７、払出部３０および一時保留部３３のそれぞれとの間において新券を移動させたり、収納部２７同士の間において新券を移動させたりする。識別部３２による新券の識別結果は、制御部６０に入力される。制御部６０は、識別部３２による新券の計数結果に基づいて各収納部２７における新券の金種および在高（収納数）を把握する。
【００３３】
記憶部６２は、不揮発性メモリやハードディスクドライブといった記憶デバイスによって構成されていて、新券払出機２Ａに関する様々な情報を記憶している。特に、記憶部６２は、各収納部２７における新券の金種および在高も記憶している。制御部６０は、記憶部６２に記憶された情報を参照したり、記憶部６２に記憶された情報を書き換えたり、新たな情報を記憶部６２に記憶させたりする。
【００３４】
次に、各収納部２７に新券を補充する手順について、図６〜図１２を参照しながら説明する。権限を有する係員が管理装置３の表示操作部３Ａに操作することによってログインして新券の補充を選択すると、制御部６０は、図６に示すメニュー画面７０を表示操作部３Ａに表示する。なお、表示操作部３Ａには、「取消」という文字が記されたタッチキー７１が常に表示されているので、係員がタッチキー７１にタッチすることによって、今回の補充をキャンセルすることができる。係員は、前カバー３４を開いて手作業によって収納部２７に新券を補充したい場合には、メニュー画面７０において「手補充」という文字が記されたタッチキー７２にタッチする。すると、制御部６０は、例えば前カバー３４を閉じた状態においてロックするロック機構（図示せず）によるロックを解除するので、係員は、前カバー３４を開いて手作業によって収納部２７に新券を補充できる。係員が補充後に前カバー３４を閉じると、制御部６０は、このロック機構を作動させるので、前カバー３４が閉じた状態においてロックされる。
【００３５】
係員は、装填部２８を用いて新券を補充したい場合には、メニュー画面７０において「計数装填」という文字が記されたタッチキー７３にタッチする。すると、制御部６０は、表示操作部３Ａに、図７に示す選択画面７４を表示する。選択画面７４には、「補充する新券の金種を選択して下さい」という見出しの下に、補充できる新券の金種（ここでは、万円札、５千円札、千円札の３金種）と、金種毎に設けられたチェックボックス７５と、補充先の収納部２７における新券の補充可能数（図７では、いずれの金種も３５０枚）とが並んで表示されている。制御部６０は、各収納部２７における新券の最大収納数から現在の在高を差し引くことによって補充可能数を取得する。なお、選択画面７４には、補充可能数とともに、補充可能数に相当する金額が金種毎に表示されてもよい。
【００３６】
係員が、補充したい新券の金種に対応するチェックボックス７５にタッチすると、制御部６０は、このチェックボックス７５内にチェックマーク７６（図７では黒丸）を表示する。その後、係員が、例えば選択画面７４の左下において「開始」という文字が記されたタッチキー７７にタッチすると、制御部６０は、表示操作部３Ａに、図８に示す案内画面７８を表示する。案内画面７８には、「新券を装填して下さい」という見出しの下に、装填部２８が引出位置まで引き出された状態における新券払出機２Ａのイメージ画像Ｇが表示されている。係員が装填部２８における開口部２８Ａ（図４参照）を把握できるように、イメージ画像Ｇにおいて開口部２８Ａに相当する部分が強調表示されてもよい。
【００３７】
また、制御部６０は、表示操作部３Ａに案内画面７８を表示するタイミングにおいて、装填部２８が装着位置にある状態において装填ユニット４９をロックするロック機構（図示せず）によるロックを解除する。これにより、係員は、前カバー３５の凹み３５Ａ（図４参照）に指を掛けて、装填部２８が引出位置に到達するまで装填ユニット４９を前側へ引き出すことができる。
【００３８】
係員が先ほど選択した金種の新券を引出位置の装填部２８に装填してから、装填ユニット４９を後側へ押して装填部２８を装着位置まで移動させる。すると、第１検知部３７（図２参照）は、装填部２８に新券が有ることを検知するとともに、第２検知部３８（図２参照）は、装填部２８が引出位置から装着位置まで移動したことを検知する。このような第１検知部３７および第２検知部３８の検知結果に応じて、制御部６０は、装填部２８における新券の繰り出しを開始して、装填部２８の新券を装填搬送路３９、第１搬送路４４および第２搬送路４５において搬送して一時保留部３３に移す（図１２の破線の矢印を参照）。この際、制御部６０は、繰出部２９によって装着位置の装填部２８から新券を繰り出して、繰り出し後の新券を搬送部３１によって装置本体２５内において一時保留部３３へ向けて搬送する。繰り出されて搬送される新券は、搬送部３１の第２搬送路４５において識別部３２を１枚ずつ通過するので、制御部６０は、第２搬送路４５内の新券を識別部３２によって１枚ずつ識別および計数する。このように、係員が装填部２８を装着位置まで移動させれば、その後に係員が表示操作部３Ａを追加で操作しなくても、装填部２８からの新券の繰り出しおよび識別部３２による識別および計数が自動で開始されるので、係員によって使い勝手が良い。
【００３９】
識別部３２がリジェクト券（搬送異常券や識別不能券等を含む）を識別した場合には、制御部６０は、このリジェクト券を第２搬送路４５において最後まで搬送し、払出部３０によって払出口１１から係員に返却する。制御部６０は、正常券であると識別された新券を搬送部３１によって一時保留部３３まで搬送し、一時保留部３３において一時保留する。なお、リジェクト券は、直ちに払出口１１にリジェクトされるのではなく、装填部２８と一時保留部３３との間を往復することによって識別部３２による再識別を受け、このようなリトライ処理が所定回数だけ繰り返されても相変わらずリジェクト券と識別された場合に、払出口１１にリジェクトされてもよい。
【００４０】
制御部６０は、例えば装填部２８における新券の繰り出しを開始するタイミングにおいて、表示操作部３Ａに、図９に示す処理画面８０を表示する。処理画面８０には、＜補充可能数＞という見出しの下に、各金種についての前述した補充可能数が並んで表示され、＜計数明細＞という見出しの下に、一時保留部３３に一時保留されている新券の枚数である一時保留数が金種毎に並んで表示されている。新券の繰り出しが進むにつれて、処理画面８０における補充可能数および一時保留数のそれぞれの値がリアルタイムにて変動してもよい。または、新券の繰り出しが完了するまで補充可能数および一時保留数が処理画面８０に表示されずに、繰り出しの完了後に、補充可能数および一時保留数の最終値が処理画面８０に表示されてもよい。また、新券の繰り出しが進むにつれて、この新券の金種についての実際の補充可能数が減少するが、補充可能数が零になっても装填部２８に新券が存在する場合には、制御部６０は、これ以上の繰り出しを停止する。装填ユニット４９のロック機構によるロックが解除されて装填ユニット４９が引き出されると、装填部２８に残った新券であるオーバーフロー券は、係員に返却される。
【００４１】
装着位置の装填部２８から全ての新券が繰り出されると、第１検知部３７（図２参照）は、装填部２８に新券が無いことを検知する。すると、制御部６０は、表示操作部３Ａに、図１０に示す問い合わせ画面８１を表示する。問い合わせ画面８１は、処理画面８０から切り替わった新しい画面であってもよいし、処理画面８０上に重ねて表示されたポップアップ画面であってもよい。問い合わせ画面８１には、「続けて装填しますか？」という見出しの下に、「はい」という文字が記されたタッチキー８２と、「いいえ」という文字が記されたタッチキー８３とが並んで表示されている。追加の新券を装填部２８に装填したい係員は、タッチキー８２にタッチする。すると、制御部６０は、前述した選択画面７４（図７参照）を表示操作部３Ａに表示するので、係員は、メニュー画面７０（図６参照）において再び計数装填を選択しなくても、追加の新券を装填部２８に装填することができる。追加の新券のうち、リジェクト券は、前述したように払出口１１から係員に返却され、正常券は、前述したように一時保留部３３に一時保留される。なお、追加の新券の金種は、直前に装填した新券の金種と同じであってもよいし異なっていてもよい。追加の新券の金種と、直前に装填した新券の金種とが異なる場合には、複数金種の新券が混在状態にて一時保留部３３に一時保留される。
【００４２】
追加の新券を装填部２８に装填する予定のない係員は、タッチキー８３にタッチする。すると、制御部６０は、表示操作部３Ａに、図１１に示す完了画面８４を表示する。完了画面８４には、「計数が完了しました」という見出しの下に、前述した補充可能数および一時保留数の最終値が表示されている。これらの値を確認した係員が、例えば完了画面８４の右下において「完了」という文字が記されたタッチキー８５にタッチすると、制御部６０は、識別部３２によって識別された後に一時保留部３３において一時保留された新券を各収納部２７に振り分けるという所定の指示を受け付けたことになる。この場合に、制御部６０は、一時保留部３３における新券を搬送部３１によって収納部２７まで搬送する
（図１２の１点鎖線の矢印を参照）。一時保留部３３における新券は、識別部３２によって既に金種が識別されているので、制御部６０は、当該新券を、その金種に応じた収納部２７まで搬送することによって金種毎に振り分ける。
【００４３】
係員がタッチキー８５にタッチしたことに応じて、制御部６５は、今回の補充の処理内容（例えば完了画面８４の内容）を記したレシートをプリンタ４によって発行する。また、制御部６５は、一時保留部３３の新券を収納部２７に収納中であることを示す画面（図示せず）を表示操作部３Ａに表示してもよい。この画面には、収納部２７への新券の収納が完了するまでの残り時間が表示されてもよい。収納部２７への新券の収納、つまり今回の補充が完了すると、制御部６５は、メニュー画面７０（図６参照）または所定の待機画面（図示せず）を表示操作部３Ａに表示することによって待機する。
【００４４】
以上のように収納部２７に新券が補充された状態において、制御部６０は、利用者による管理装置３の表示操作部３Ａの操作によって出金処理の指示を受け付ける。すると、制御部６０は、出金対象の金種の新券を収納した収納部２７から必要枚数の新券を取り出して、第１搬送路４４および第２搬送路４５の順に搬送し、払出部３０によって払出口１１から出金する。なお、制御部６０は、収納部２７から取り出した新券のうち、リジェクト券であると識別部３２によって新たに識別されたものを、例えば一時保留部３３に一時保留してから装填部２８や元の収納部２７にリジェクトしてもよい（図１２の２点鎖線の矢印を参照）。この場合の装填部２８におけるリジェクト券は、例えば次回の新券の補充時に回収される。また、制御部６０は、収納部２７から取り出した新券のうち、正常券であると識別部３２によって識別されたものをカウントすることによって、各収納部２７における在高を更新する。出金対象の新券が全て払出口１１に出金されると、出金処理が終了する。
【００４５】
以上のように、有価媒体処理装置の一例である新券払出機２Ａでは、新券を識別部３２によって１つずつ識別することによって、装填部２８に装填された新券の金種を確認できるとともに、装填部２８に装填された新券の数を管理できる。そのため、新券の金種間違いのない正確な補充と、補充後の収納部２７における新券の正確な在高管理とを図ることができる。また、新券を補充する際、装填部２８だけが新券の装填のために装置本体２５から引き出されるものの、収納部２７は、装置本体２５内に残っていて装置本体２５の外に露出されないので、収納部２７におけるセキュリティ性の向上を図れる。また、装填部２８を引き出して新券を装填部２８に装填して、装填部２８を装着位置まで移動させて装置本体２５に装着すれば、その後にさらに手間をかけなくても収納部２７への新券の補充を開始できるので、使い勝手の向上を図れる。また、新券が装填された装填部２８が装着位置まで移動したという第１検知部３７および第２検知部３８の検知結果に応じて、装填部２８における新券の繰り出しが開始されるので、空振りすることなく、装填部２８から収納部２７への新券の補充を確実に実施できる。
【００４６】
また、装填部２８に装填された新券を一時保留部３３において一時保留すれば、係員が完了のタッチキー８５（図１１参照）をタッチすることによる収納部２７への新券の補充が確定するまでの間は、今回装填された新券と収納部２７に既にある新券とを区別することができる。さらに、一時保留後において係員が取消のタッチキー７１（図１１参照）をタッチすることによって今回の補充をキャンセルした場合には、制御部６０は、新券を一時保留部３３から装填部２８に戻して返却することもできる。なお、一時保留部３３に一時保留された新券は、外部の新券として扱われるので、一時保留部３３の新券を装填部２８に返却しても、在高管理等の面において特に問題はない。
【００４７】
また、新券の返却に関して、制御部６５は、タイマー機能を有しており、新券が一時保留部３３において一時保留されたまま、例えば数分の所定時間が経過すると、制御部６５は、一時保留部３３における新券を搬送部３１によって装填部２８に戻す。テープリール式の一時保留部３３において長時間にわたって一時保留された新券は、ドラム５３に巻き付けられることによってカール癖が付くと、新券として使用できなくなったり、搬送部３１内において詰まることによって搬送エラーを引き起こしたり、収納部２７においてきれいに集積できなくなったりする虞がある。そこで、一時保留部３３において一時保留されたまま所定時間が経過した新券を装填部２８に戻すことによって、新券にカール癖が付くことを抑制できる。装填部２８に戻された新券は、係員によって回収されたり、再度の計数装填に用いられたりする。なお、制御部６５は、所定時間の経過時に新券を装填部２８に自動的に戻すのではなく、例えば、表示操作部３Ａにおける表示等によって係員に警告し、タッチキー８５（図１１参照）をタッチすることによる収納部２７への新券の補充を速やかに確定させるように促してもよい。
【００４８】
図１２を参照して、各収納部２７と装着位置の装填部２８とは、装置本体２５内において上下方向に並んで配置され、各収納部２７および装填部２８のそれぞれの周囲において新券を繰り出したり搬送したりするための構成（繰出部２９、繰出部４２および搬送部３１等）のレイアウトは、ほぼ同じである。この場合には、各収納部２７および装填部２８のそれぞれに対して、前側（図１２では左側）という同じ方向から新券を収納できるので、手補充したときの収納部２７における新券の向き（表裏や長手方向や短手方向の向き）と、計数装填のために装填部２８に装填したときの新券の向きとを揃えることができる。そのため、手補充および計数装填による補充のいずれの場合であっても、補充後の収納部２７や、払出口１１において、向きの異なる新券が混在することを抑制できる。
【００４９】
この発明は、以上の実施形態の内容に限定されるものではなく、請求項に記載の範囲内において種々の変更が可能である。
【００５０】
例えば、装填部２８の内部空間における奥側（新券払出機２Ａにおける後側）の領域には、ガイド部材９０が１つ設けられてもよい。図１３に示すように、ガイド部材９０は、例えば板状に形成されていて、装填部２８内における新券Ｍの短手方向Ｓに延びている。装填部２８には、モータ等によって構成されてガイド部材９０を新券Ｍの長手方向Ｌに沿って移動させるアクチュエータ（図示せず）が設けられている。制御部６０は、このアクチュエータの動作を制御することによって、ガイド部材９０を装填部２８内において移動させる。前述した計数装填の場合には、制御部６０は、選択画面７４（図７参照）において選択された金種の新券Ｍの長さに合わせて、前後方向（図１３では左右方向）におけるガイド部材９０の位置を調整する。なお、図１３において実線で示されたガイド部材９０は、最も長い万円札に対応した位置である。装填部２８内において調整後のガイド部材９０よりも前側（図１３では左側）において新券Ｍが配置される配置空間２８Ｂでは、前後方向の寸法が、選択された金種の新券の長手方向Ｌの寸法とほぼ一致するので、その後の繰り出しにおいて、装填部２８内の新券Ｍを精度よく繰り出すことができる。
【００５１】
また、一時保留部３３から装填部２８に新券Ｍを返却する際には、制御部６０が、返却する金種の新券Ｍの長さに合わせてガイド部材９０を移動させるので、返却された複数の新券Ｍを、長手方向Ｌにおける端縁（前端縁および後端縁の少なくとも一方）が揃うように装填部２８内においてきれいに集積できる。なお、返却された新券Ｍが装填部２８内において引っ掛からずにきれいに集積されるように、装填部２８に新券Ｍを返却するときのガイド部材９０の位置は、装填部２８から同一金種の新券Ｍを繰り出すときのガイド部材９０の位置から若干後側にずれた位置に設定される。
【００５２】
また、複数金種の新券Ｍが一時保留部３３に一時保留されている場合には、一時保留部３３における新券Ｍの金種の順番が記憶部６２（図５参照）に記憶されているので、制御部６０は、記憶部６２の記憶内容に基いて、装填部２８に返却される金種が変わる毎にガイド部材９０の位置を調整する。これにより、返却された複数金種の新券Ｍを、図１４に示すように長手方向Ｌにおいてガイド部材９０側とは反対側の前端縁が揃うように装填部２８内においてきれいに集積できるので、係員は、返却された複数金種の新券Ｍの前端部を一度に掴んで装填部２８から抜き取ることができる。ただし、金種が変わる毎にガイド部材９０の位置を調整するためには、新券Ｍは、千円札Ｍ１、２千円札Ｍ２、５千円札Ｍ３、万円札Ｍ４というように長手方向Ｌにおいて短い金種から順に返却される必要がある。もちろん、返却される金種のなかで最も長い金種の新券Ｍに合わせてガイド部材９０の位置を固定しても、複数金種の新券Ｍを装填部２８内においてある程度きれいに集積できる。なお、ガイド部材９０と同様のガイド部材（図示せず）が各収納部２７内に設けられてもよいが、各収納部２７内のガイド部材は、対応する一金種に合わせて位置が固定される。
【００５３】
また、前述した実施形態では、繰出部２９が装填ユニット４９内に配置されることによって、装填ユニット４９自体が新券の繰出機能を有していたが（図３参照）、繰出部２９は、予め装置本体２５に固定されていて、装填ユニット４９つまり装填部２８が装着位置にあるときに装填部２８から新券を繰り出せるように構成されてもよい。
【００５４】
また、装填部２８は、ガイドレール３６（図４参照）を介して装置本体２５によって支持されなくてもよく、この場合の引出位置における装填部２８は、装置本体２５から取り外された分離状態にあってもよい。
【００５５】
また、前述した実施形態では、係員が手動によって装填部２８を装着位置と引出位置との間で移動させたが、モータ等によって構成されて装填部２８を移動させるアクチュエータ（図示せず）が装置本体２５内に設けられてもよい。アクチュエータが設けられる場合には、制御部６０は、前述した計数装填の際に案内画面７８（図８参照）を表示するタイミングにおいてアクチュエータを作動させて装填部２８を引出位置まで移動させる。この場合には、例えば案内画面７８において「ＯＫ」という文字が記されたタッチキー（図示せず）が表示されるので、装填部２８に新券を装填した係員が当該タッチキーにタッチすると、制御部６０は、アクチュエータを作動させて装填部２８を装着位置まで移動させる。
【００５６】
また、計数装填の際に表示操作部３Ａに案内画面７８（図８参照）が表示された状態において、前述した実施形態では、係員が装填部２８を装着位置まで移動させれば、制御部６０により、装填部２８からの新券の繰り出しおよび識別部３２による識別および計数が自動で開始される。しかし、繰り出しを開始すべきでない状況が発生し、この状況が解消されないのに、係員が装填部２８を装着位置まで移動させた場合には、制御部６０は、繰り出しを開始せずに、係員による装填部２８の新券の抜き取りを待つ。抜き取りを待つ制御部６０は、装填部２８の新券の抜き取りを係員に促す画面を表示操作部３Ａに表示したり、先ほどのアクチュエータ（図示せず）を作動させて装填部２８を引出位置まで強制的に移動させたりしてもよい。繰り出しを開始すべきでない状況とは、例えば、前述したオーバーフロー券が装填部２８に残っている状況である。また、係員が選択した金種と異なる金種の新券を誤って装填部２８に装填した状態において一旦識別および計数が開始されて、装填部２８からの新券が金種間違いのリジェクト券であるとの識別が所定回数（例えば５回）連続した場合に、制御部６０は、金種間違いの新券が装填部２８に装填されたと判断して、繰り出しを停止するが、その後、金種間違いの新券が装填部２８に残っている状況も、繰り出しを開始すべきでない異常じみた状況である。
【００５７】
また、前述した実施形態では、新券が一金種ずつ装填部２８に装填されたが、複数の金種の新券が混在した状態にて装填部２８に装填されてもよい。
【００５８】
また、例えば月に１回のタイミングにおいて、各収納部２７における全ての新券が装置本体２５の外へ一旦回収された後に、手補充によって新券が各収納部２７に直接補充されることがある。この場合、制御部６５は、各収納部２７について、収納部２７に補充された新券を一時保留部３３に移し替えてから元の収納部２７に戻し、その際に、識別部３２によって新券を識別することによって収納部２７内の新券の金種および在高を確認する。なお、識別部３２によってリジェクト券であると識別された新券は、払出口１１にリジェクトされた後に、あらためて装填部２８から装填される。このように各収納部２７の新券を一時保留部３３に移し替えてから元の収納部２７に戻す際に収納部２７内の新券の金種および在高を確認するという精査処理は、各収納部２７における全ての新券を回収しない場合にも実施される。
【００５９】
また、一時保留部３３は、テープリール式でなく、装填部２８のように新券が集積されるボックス状に構成されてもよい。この場合に、前述した精査処理において、リジェクト券と正常券とを分けるために、一時保留部３３を２つ設けるか、リジェクト券を回収するためのリジェクト部（図示せず）を装置本体２５内に別途設けるとよい。
【００６０】
また、官封の束紙幣をばらして装填部２８にセットした場合において、束紙幣を構成する新券は、正常券であるにもかかわらず、重送や斜行といった搬送不良のためにリジェクト券であると識別部３２によって識別されることがある。この場合のリジェクト券は、あらためて装填部２８にセットし直せば正常券であると識別されるはずであるが、再びリジェクト券であると識別されることが稀に生じ得る。この場合、再びリジェクト券であると識別された数枚の新券が手元に残ると、係員にとって、その後の後処理が面倒である。そこで、新券が再びリジェクト券であると識別されたことに応じて、紙幣入出金機２Ｂが自動で補充モードになり、係員は、これらの新券を紙幣入出金機２Ｂの入金口１４（図１参照）に投入することができる。紙幣の識別に関するアルゴリズムが、新券払出機２Ａと紙幣入出金機２Ｂとにおいて異なっていれば、これらの新券は、紙幣入出金機２Ｂでは新券であると識別されて紙幣入出金機２Ｂ内の収納部（図示せず）に収納されることがある。
【００６１】
また、新券払出機２Ａに着目して有価媒体処理装置２について説明したが、前述した計数装填に関する構成が他の有価媒体処理装置２（図１参照）に設けられている場合には、今までの説明は、当該他の有価媒体処理装置２にも当てはまる。
【００６２】
また、有価媒体処理システム１において、例えば管理装置３が、有価媒体処理装置２における一部の機能（例えば制御部６０や記憶部６２の機能）を有してもよい。
【００６３】
また、計数装填の際に係員が金種を選択しなくても（図７参照）、制御部６０が、装填後の新券についての識別部３２による識別結果に基づいて金種を判断して、該当する金種の収納部２７に新券を振り分けてもよい。この場合、振分先の収納部２７における新券の収納数が最大収納数に近づいたニアフル状態になると、制御部６０は、係員に警告して新券の振り分けを一時停止する。
【００６４】
また、識別部３２を、第２搬送路４５ではなく、第１搬送路４４の最上位置または装填搬送路３９に配置してもよい（図２参照）。これにより、装填部２８に装填された新券を一時保留部３３に一時保留することなく、速やかに各収納部２７部に振り分けることができるので、計数装填における時間短縮を図れる。
【００６５】
また、識別部３２として、計数機能だけを有するものを用いてもよい。これにより、コストダウンを図れる。
【符号の説明】
【００６６】
１      有価媒体処理システム
２      有価媒体処理装置
３      管理装置
２５    装置本体
２７    収納部
２８    装填部
２９    繰出部
３１    搬送部
３２    識別部
３３    一時保留部
３７    第１検知部
３８    第２検知部
６０    制御部
Ｔ１    テープ
Ｔ２    テープ
【図１】
2018022241.tif 000003
【図２】
2018022241.tif 000004
【図３】
2018022241.tif 000005
【図４】
2018022241.tif 000006
【図５】
2018022241.tif 000007
【図６】
2018022241.tif 000008
【図７】
2018022241.tif 000009
【図８】
2018022241.tif 000010
【図９】
2018022241.tif 000011
【図１０】
2018022241.tif 000012
【図１１】
2018022241.tif 000013
【図１２】
2018022241.tif 000014
【図１３】
2018022241.tif 000015
【図１４】
2018022241.tif 000016